(57)【要約】【課題】開口を区画する開口周囲の壁パネルの施工性及びその屋内側面の意匠性を向上可能な外壁構造、この外壁構造を備える建物、及び壁パネルの取付方法を提供することを目的とする。【解決手段】開口が形成された外壁構造であって、前記開口の水平方向両側を区画する第１及び第２壁パネルと、前記第１壁パネル及び前記第２壁パネルの間に架け渡した状態で、前記第１壁パネル及び前記第２壁パネルに対して取り付けられている連結部材と、前記開口の鉛直方向下端を区画する上端面を有し、前記連結部材が前記上端面に取り付けられている第３壁パネルと、前記連結部材を、前記上端面に取り付けられる位置となるように前記上端面に向かう方向に、又は前記取り付けられる位置から前記上端面と離れる方向に、スライド移動可能とするスライド機構と、を備える。【選択図】図１
2018096134.tif 000002
【特許請求の範囲】
【請求項１】
開口が形成された外壁構造であって、
前記開口の水平方向両側を区画する第１及び第２壁パネルと、
前記第１壁パネル及び前記第２壁パネルの間に架け渡した状態で、前記第１壁パネル及び前記第２壁パネルに対して取り付けられている連結部材と、
前記開口の鉛直方向下端を区画する上端面を有し、前記連結部材が前記上端面に取り付けられている第３壁パネルと、
前記連結部材を、前記上端面に取り付けられる位置となるように前記上端面に向かう方向に、又は前記取り付けられる位置から前記上端面と離れる方向に、スライド移動可能とするスライド機構と、を備えることを特徴とする外壁構造。
【請求項２】
前記連結部材は前記第１壁パネル及び前記第２壁パネルの一方の壁パネルに対して取り付けられるフランジ部を備え、
前記フランジ部は、鉛直方向に延在する長孔を区画しており、
前記スライド機構は、前記フランジ部に区画された前記長孔と、前記長孔に挿通されて前記一方の壁パネルに締結される締結部材と、により構成されていることを特徴とする、請求項１に記載の外壁構造。
【請求項３】
前記第１壁パネル及び前記第２壁パネルの前記開口の水平方向両側を区画する側端面には、前記連結部材の水平方向の両端部を収容し、前記連結部材を鉛直方向にスライド移動可能とする溝部が形成されており、
前記スライド機構は、前記溝部により構成されていることを特徴とする、請求項１に記載の外壁構造。
【請求項４】
前記第３壁パネルの前記上端面には長溝が形成されており、
前記連結部材は、前記長溝に収容されていることを特徴とする、請求項１乃至３のいずれか１つに記載の外壁構造。
【請求項５】
前記第３壁パネルは、前記第１壁パネルと前記第２壁パネルとの間で、複数連接されていることを特徴とする、請求項１乃至４のいずれか１つに記載の外壁構造。
【請求項６】
前記第１壁パネル及び前記第２壁パネルは、前記開口に対して鉛直方向の上下の両位置それぞれで、建物の梁部材に取り付けられていることを特徴とする、請求項１乃至５のいずれか１つに記載の外壁構造。
【請求項７】
前記第３壁パネルは、前記開口に対して鉛直方向下方の位置のみで、前記第１壁パネル及び前記第２壁パネルが取り付けられている一方の梁部材に取り付けられていることを特徴とする、請求項６に記載の外壁構造。
【請求項８】
請求項１乃至７のいずれか１つに記載された外壁構造を備える建物。
【請求項９】
開口周囲の壁パネルの取付方法であって、
前記開口の水平方向両側を区画する第１及び第２壁パネルの間に連結部材を架け渡し、鉛直方向にスライド移動可能に前記第１壁パネル及び前記第２壁パネルに対して取り付ける工程と、
前記開口の鉛直方向下端を区画する上端面を有する第３壁パネルを配置する工程と、
前記連結部材を鉛直方向下方に移動し、前記第３壁パネルの前記上端面に前記連結部材を取り付ける工程と、を含むことを特徴とする壁パネルの取付方法。
【請求項１０】
前記第３壁パネルを配置する前記工程では、前記第３壁パネルを複数連接して配置し、
前記第３壁パネルの前記上端面に前記連結部材を取り付ける前記工程では、前記複数の第３壁パネルの全ての上端面に前記連結部材を取り付けることを特徴とする、請求項９に記載の壁パネルの取付方法。
【発明の詳細な説明】
【技術分野】
【０００１】
本発明は、外壁構造、建物及び壁パネルの取付方法に関する。
【背景技術】
【０００２】
従来から、壁パネルを建物の周囲に連接して外壁を形成する外壁構造が知られている。特許文献１には、この種の外壁構造であって、壁パネルに囲まれた位置に開口が形成される構成が開示されている。
【０００３】
また、特許文献１の外壁構造では、開口の下方に位置する対象壁パネルの裏面（屋内側面）、及び、幅方向において対象壁パネルを挟み込む２枚の隣接壁パネルの裏面（屋内側面）に跨って、対象壁パネル及び隣接壁パネルに固定された補強材が開示されている。
【先行技術文献】
【特許文献】
【０００４】
【特許文献１】特開２０１４−１５７８５号公報
【発明の概要】
【発明が解決しようとする課題】
【０００５】
ところで、特許文献１に記載された外壁構造は、既存の建物の外壁に開口を追加する際に廃棄量を減らして低コスト化を実現する構造であり、建物を新設する際を想定した場合には、意匠性や施工性の観点において更なる改善の余地がある。
【０００６】
また、特許文献１に記載されている対象壁パネル及び隣接壁パネルのような壁パネルは、その屋外側面が建物の外装面を構成する外装パネルであるが、意匠性が優れたパネル材料を用いる場合等には、その屋内側面が建物の内装面をも構成するように利用されることや、外装パネルとは別に、内装面を構成する内装パネルとして利用されることもある。かかる場合には、意匠性の観点から、壁パネルの屋内側面に補強材を固定する特許文献１の構成を採用することが難しい。
【０００７】
そこで本発明は、開口を区画する開口周囲の壁パネルの施工性及びその屋内側面の意匠性を向上可能な外壁構造、この外壁構造を備える建物、及び壁パネルの取付方法を提供することを目的とするものである。
【課題を解決するための手段】
【０００８】
本発明の第１の態様としての外壁構造は、開口が形成された外壁構造であって、前記開口の水平方向両側を区画する第１及び第２壁パネルと、前記第１壁パネル及び前記第２壁パネルの間に架け渡した状態で、前記第１壁パネル及び前記第２壁パネルに対して取り付けられている連結部材と、前記開口の鉛直方向下端を区画する上端面を有し、前記連結部材が前記上端面に取り付けられている第３壁パネルと、前記連結部材を、前記上端面に取り付けられる位置となるように前記上端面に向かう方向に、又は前記取り付けられる位置から前記上端面と離れる方向に、スライド移動可能とするスライド機構と、を備えることを特徴とするものである。
【０００９】
本発明の１つの実施形態として、前記連結部材は前記第１壁パネル及び前記第２壁パネルの一方の壁パネルに対して取り付けられるフランジ部を備え、前記フランジ部は、鉛直方向に延在する長孔を区画しており、前記スライド機構は、前記フランジ部に区画された前記長孔と、前記長孔に挿通されて前記一方の壁パネルに締結される締結部材と、により構成されていることが好ましい。
【００１０】
本発明の１つの実施形態として、前記第１壁パネル及び前記第２壁パネルの前記開口の水平方向両側を区画する側端面には、前記連結部材の水平方向の両端部を収容し、前記連結部材を鉛直方向にスライド移動可能とする溝部が形成されており、前記スライド機構は、前記溝部により構成されていることが好ましい。
【００１１】
本発明の１つの実施形態として、前記第３壁パネルの前記上端面には長溝が形成されており、前記連結部材は、前記長溝に収容されていることが好ましい。
【００１２】
本発明の１つの実施形態として、前記第３壁パネルは、前記第１壁パネルと前記第２壁パネルとの間で、複数連接されていることが好ましい。
【００１３】
本発明の１つの実施形態として、前記第１壁パネル及び前記第２壁パネルは、前記開口に対して鉛直方向の上下の両位置それぞれで、建物の梁部材に取り付けられていることが好ましい。
【００１４】
本発明の１つの実施形態として、前記第３壁パネルは、前記開口に対して鉛直方向下方の位置のみで、前記第１壁パネル及び前記第２壁パネルが取り付けられている一方の梁部材に取り付けられていることが好ましい。
【００１５】
本発明の第２の態様としての建物は、上記外壁構造を備えることを特徴とするものである。
【００１６】
本発明の第３の態様としての壁パネルの取付方法は、開口周囲の壁パネルの取付方法であって、前記開口の水平方向両側を区画する第１及び第２壁パネルの間に連結部材を架け渡し、鉛直方向にスライド移動可能に前記第１壁パネル及び前記第２壁パネルに対して取り付ける工程と、前記開口の鉛直方向下端を区画する上端面を有する第３壁パネルを配置する工程と、前記連結部材を鉛直方向下方に移動し、前記第３壁パネルの前記上端面に前記連結部材を取り付ける工程と、を含むことを特徴とするものである。
【００１７】
本発明の１つの実施形態として、前記第３壁パネルを配置する前記工程では、前記第３壁パネルを複数連接して配置し、前記第３壁パネルの前記上端面に前記連結部材を取り付ける前記工程では、前記複数の第３壁パネルの全ての上端面に前記連結部材を取り付けることが好ましい。
【発明の効果】
【００１８】
本発明によれば、開口を区画する開口周囲の壁パネルの施工性及びその屋内側面の意匠性を向上可能な外壁構造、この外壁構造を備える建物、及び壁パネルの取付方法を提供することができる。
【図面の簡単な説明】
【００１９】
【図１】本発明に係る外壁構造の一実施形態を建物の屋外側から見た正面図である。
【図２】図１に示す外壁構造の一部を屋内側から見た場合の拡大斜視図である。
【図３】図１に示す外壁構造の一部を屋内側から見た場合の拡大斜視図である。
【図４】連結部材の単体を示す斜視図である。
【図５】本発明に係る外壁構造の一実施形態を建物の屋外側から見た正面図である。
【図６】図５に示す外壁構造の一部を屋内側から見た場合の拡大斜視図である。
【発明を実施するための形態】
【００２０】
以下、本発明に係る外壁構造、建物及び壁パネルの取付方法の実施形態について、図１〜図６を参照して説明する。各図において共通する構成には同一の符号を付している。
【００２１】
図１は、本発明に係る外壁構造の一実施形態としての建物１００の外壁構造１を建物１００の屋外側から見た正面図である。また、図２、図３は、図１に示す外壁構造１の一部を屋内側から見た場合の拡大斜視図である。
【００２２】
図１〜図３に示すように、外壁構造１には開口２が形成されており、この外壁構造１は、開口２の周囲に位置する第１壁パネル１０ａ、第２壁パネル１０ｂ、第３壁パネル１０ｃ及び第４壁パネル１０ｄと、連結部材２０と、連結部材２０を所定方向にスライド移動可能とするスライド機構３０と、第１〜第４壁パネル１０ａ〜１０ｄが取り付けられている建物１００の梁部材４０と、を備えている。なお、図１では、第１〜第４壁パネル１０ａ〜１０ｄの屋内側に位置する梁部材４０を一点鎖線により示している。また、図３では、説明の便宜上、連結部材２０を省略して描いている。
【００２３】
まず、外壁構造１を備える建物１００の一例の全体構成を説明する。建物１００は、例えば、鉄骨造の軸組みを有する２階建ての工業化住宅とすることができる。このような建物は、例えば、地盤に支持された鉄筋コンクリート造の基礎構造体と、柱部材や梁部材４０などの軸組部材で構成された軸組架構を有し、基礎構造体に支持された上部構造体と、で構成される。なお、軸組架構を構成する軸組部材は、予め規格化（標準化）されたものであり、予め工場にて製造されたのち建築現場に搬入されて組み立てられる。
【００２４】
基礎構造体は、軸組架構の鉛直方向下方に位置し、軸組架構を支持する。基礎構造体は、例えば、鉄筋コンクリート造の断面Ｔ字状の布基礎である。
【００２５】
上部構造体は、複数の柱部材及び柱部材間に架設された複数の梁部材４０から構成される軸組架構と、この軸組架構の外周部に配置される外壁と、軸組架構の梁部材４０上に支持される各階の床と、を備える。
【００２６】
外壁は、第１〜第４壁パネル１０ａ〜１０ｄなどの、外装パネルとしての壁パネルと、この壁パネルの屋内側に配置される断熱材と、この断熱材の屋内側に配置され、建物１００の内装面を形成する内装材と、を備えている。なお、図２、図３では、説明の便宜上、断熱材及び内装材を省略して描いているが、断熱材及び内装材を設けずに、壁パネルの屋内側面が内装面を形成するような構成としてもよい。
【００２７】
第１〜第４壁パネル１０ａ〜１０ｄなどの壁パネルとしては、例えば、軽量気泡コンクリート（以下、「ＡＬＣ」と記載する。「ＡＬＣ」とは「autoclaved light weight concrete」の略である。）のパネル、押出成形セメント板、木質系パネルなどを用いることができる。本実施形態では、この壁パネルを軸組架構の外周部の周囲に連接することにより、外壁の外皮層を形成している。
【００２８】
また、断熱材としては、例えば、フェノールフォーム、ポリスチレンフォーム、ウレタンフォーム等の発泡樹脂系のものを用いることができ、断熱材を外皮層の屋内側に、外皮層に沿って配置することにより断熱層を形成することができる。
【００２９】
内装材としては、例えば、石膏ボードを用いることができ、内装材を軸組架構の外周部の屋内側に連接することにより、内皮層を形成することができる。なお、内装材として、上述した外装パネルと同じ材料で形成され、梁部材４０に取り付けられる内装パネルを用いることも可能である。
【００３０】
以下、建物１００における外壁構造１について詳細に説明する。
【００３１】
まず、開口２を区画する第１〜第４壁パネル１０ａ〜１０ｄについて説明する。
【００３２】
本実施形態の第１〜第４壁パネル１０ａ〜１０ｄは、板材又は角材を複数張り合わせて形成されている矩形板状の木質系パネルである。木質系パネルとしては、例えば、張り合わせる板材又は角材の繊維方向が並行する集成材や、張り合わせる板材の繊維方向が直交するように交互に張り合わされた直交集成板（ＣＬＴ（Cross Laminated Timberの略））などが挙げられる。
【００３３】
図１に示すように、第１壁パネル１０ａ及び第２壁パネル１０ｂは、開口２の水平方向両側を区画する側端面１１ａ及び１１ｂを有している。より具体的に、外壁構造１を屋外側から正面に見て（図１参照）、本実施形態の第１壁パネル１０ａの右側の側端面１１ａが開口２の左端を区画しており、本実施形態の第２壁パネル１０ｂの左側の側端面１１ｂが開口２の右端を区画している。
【００３４】
また、第１壁パネル１０ａ及び第２壁パネル１０ｂは、開口２に対して鉛直方向の上下の両位置それぞれで、建物１００の梁部材４０に取り付けられている。より具体的に、第１壁パネル１０ａ及び第２壁パネル１０ｂは、建物１００の各階の階高と略等しい鉛直方向長さを有しており、その上端部が所定階の上側の梁部材４０ａに取り付けられると共に、その下端部が同じ所定階の下側の梁部材４０ｂに取り付けられている。
【００３５】
図１に示すように、第３壁パネル１０ｃは、開口２の鉛直方向下端を区画する上端面１１ｃを有している。また、図１、図３に示すように、第３壁パネル１０ｃは、上側の梁部材４０ａには取り付けられておらず、開口２に対して鉛直方向下方の位置のみで、第１壁パネル１０ａ及び第２壁パネル１０ｂの下端部が取り付けられている下側の梁部材４０ｂに取り付けられている。なお、第３壁パネル１０ｃのうち下側の梁部材４０ｂに取り付けられている部分は、第３壁パネル１０ｃの下端部である。
【００３６】
図１〜図３に示すように、第３壁パネル１０ｃの上端面１１ｃには、後述する連結部材２０としての第１連結部材２０ａを収容可能な、パネル厚み方向と直交する方向に延在する長溝１２ｃが形成されている。なお、長溝１２ｃは、第３壁パネル１０ｃの両側の側端面まで貫通している。
【００３７】
また、図１に示すように、第４壁パネル１０ｄは、開口２の鉛直方向上端を区画する下端面１１ｄを有している。また、第４壁パネル１０ｄは、下側の梁部材４０ｂには取り付けられておらず、開口２に対して鉛直方向上方の位置のみで、第１壁パネル１０ａ及び第２壁パネル１０ｂの上端部が取り付けられている上側の梁部材４０ａに取り付けられている。なお、第４壁パネル１０ｄのうち上側の梁部材４０ａに取り付けられている部分は、第４壁パネル１０ｄの上端部である。
【００３８】
図１に示すように、第４壁パネル１０ｄの下端面１１ｄには、後述する連結部材２０としての第２連結部材２０ｂを収容可能な、パネル厚み方向と直交する方向に延在する長溝１２ｄが形成されている。なお、長溝１２ｄは、第４壁パネル１０ｄの両側の側端面まで貫通している。
【００３９】
また、上述した第１〜第４壁パネル１０ａ〜１０ｄそれぞれは、側端面に結合部を備えており、幅方向に隣接する壁パネル同士は、側端面の結合部同士を係合させることによって結合されている。具体的に、本実施形態の第１〜第４壁パネル１０ａ〜１０ｄそれぞれは、側端面において、鉛直方向に延在する溝部（例えば、図１、図２に示す第１壁パネル１０ａの側端面１１ａの溝部１３ａや、図１に示す第２壁パネル１０ｂの側端面１１ｂの溝部１３ｂ）及び突部（例えば、図３における第３壁パネル１０ｃの側端面における突部１３ｃ）の一方を備えており、溝部と突部とが嵌合して係合することにより結合されている。なお、隣接する壁パネル同士を結合する結合部の構成は、本実施形態の溝部と突部とに限られるものではなく、各種構成により実現することが可能である。
【００４０】
第１〜第４壁パネル１０ａ〜１０ｄと梁部材４０との取り付け構成の詳細は後述する（図３参照）。
【００４１】
連結部材２０は、第１壁パネル１０ａ及び第２壁パネル１０ｂの間に架け渡した状態で、第１壁パネル１０ａ及び第２壁パネル１０ｂに対して取り付けられている。図４は、連結部材２０の単体を示す斜視図である。
【００４２】
図４に示すように、本実施形態の連結部材２０は、直線状に延在する棒状部２１と、この棒状部２１の長手方向の両端にそれぞれ位置し、棒状部２１の外形よりも棒状部２１の長手方向と直交する方向に向かって突出する板状のフランジ部２２ａ及び２２ｂと、を備えており、図１、図２に示すように、長手方向の一端に位置する第１フランジ部２２ａが、第１壁パネル１０ａに対して取り付けられ、長手方向の他端に位置する第２フランジ部２２ｂが、第２壁パネル１０ｂに対して取り付けられている。なお、図１に示すように、第１フランジ部２２ａ及び第２フランジ部２２ｂが、第１壁パネル１０ａ及び第２壁パネル１０ｂに取り付けられた状態において、上述した棒状部２１の長手方向は略水平方向となっている。また、本実施形態の棒状部２１の横断面外形は、開口２側となる鉛直方向上方が開放された溝形形状を有しているが、棒状であればよく、横断面外形は溝形形状のものに限られない。したがって、例えば、棒状部を、筒状、中実丸棒状、中実角棒状などの形状としてもよい。
【００４３】
更に本実施形態では、第１フランジ部２２ａが、鉛直方向に延在する長孔２３ａを区画しており、この長孔２３ａは、水平方向において第１フランジ部２２ａを貫通している。そして、図２に示すように、連結部材２０は、溝部１３ａ内に配置された第１フランジ部２２ａの長孔２３ａに挿通された締結部材５０としてのビス部材が、第１壁パネル１０ａの側端面１１ａにおける溝部１３ａの溝底に締結されることにより、第１壁パネル１０ａに対して緊結した状態で取り付けられている。
【００４４】
同様に、本実施形態の第２フランジ部２２ｂは、鉛直方向に延在する長孔２３ｂを区画しており、この長孔２３ｂは、水平方向において第２フランジ部２２ｂを貫通している。そして、連結部材２０は、溝部１３ｂ内に配置された第２フランジ部２２ｂの長孔２３ｂに挿通された締結部材５０としてのビス部材が、第２壁パネル１０ｂの側端面１１ｂにおける溝部１３ｂの溝底に締結されることにより、第２壁パネル１０ｂに対して緊結した状態で取り付けられている。
【００４５】
このように、連結部材２０は、その長手方向の両端部が第１壁パネル１０ａ及び第２壁パネル１０ｂに対して緊結されている。
【００４６】
ここで本実施形態では、連結部材２０として、その長手方向の両端部が第１壁パネル１０ａ及び第２壁パネル１０ｂに対して取り付けられていると共に、第３壁パネル１０ｃの上端面１１ｃに対して取り付けられている第１連結部材２０ａと、その長手方向の両端部が第１壁パネル１０ａ及び第２壁パネル１０ｂに対して取り付けられていると共に、第４壁パネル１０ｄの下端面１１ｄに対して取り付けられている第２連結部材２０ｂと、が設けられている。
【００４７】
第１連結部材２０ａのうち、第１壁パネル１０ａ及び第２壁パネル１０ｂに取り付けられている両端部（本実施形態では第１及び第２フランジ部２２ａ及び２２ｂ）に挟まれる中央部（本実施形態では棒状部２１の大部分）が、第３壁パネル１０ｃの上端面１１ｃに取り付けられている。具体的に、第３壁パネル１０ｃの上端面１１ｃには、上述したように、パネル厚み方向と直交する方向に延在する長溝１２ｃが形成されており、第１連結部材２０ａの中央部が長溝１２ｃに入り込んだ状態、より具体的には、長溝１２ｃ内に収容された状態とされる。これにより、第３壁パネル１０ｃの上端面１１ｃ側がパネル厚み方向に移動しようとしても、長溝１２ｃの溝壁が、長溝１２ｃ内に収容された第１連結部材２０ａに突き当たる。そのため、第３壁パネル１０ｃの上端面１１ｃ側は、パネル厚み方向において第１連結部材２０ａに対して移動することが制限される。なお、「連結部材が第３壁パネルの上端面に取り付けられている」とは、連結部材と第３壁パネルの上端面とが、少なくともパネル厚み方向に別々に移動しないように両者が係合している状態を意味しており、連結部材が第３壁パネルに対して完全に緊結されている状態のみを意味するものではない。つまり、図２に示すように、本実施形態の第１連結部材２０ａ及び第３壁パネル１０ｃは、棒状部２１に形成された挿通孔２４からビス部材等の締結部材５１を挿通することにより完全に緊結される構成であるが、第１連結部材２０ａが長溝１２ｃに嵌合しているため、締結部材５１を用いずに緊結しない構成としてもよい。
【００４８】
このように、第３壁パネル１０ｃは、その鉛直方向の下端部が建物１００の軸組架構を構成する下側の梁部材４０ｂに取り付けられていると共に、その上端部が第１連結部材２０ａに取り付けられている。そして、第３壁パネル１０ｃの上端部を第１及び第２壁パネル１０ａ及び１０ｂと一体化する第１連結部材２０ａを、第３壁パネル１０ｃの上端面１１ｃに取り付けているため、第１〜第３壁パネル１０ａ〜１０ｃの屋内側面に跨って他の連結部材を取り付ける構成と比較して、第１連結部材２０ａが目立ち難く簡素化された意匠性の高い構成を実現することができる。更に、図１に示すように、本実施形態の第１連結部材２０ａはそのすべてが、第１壁パネル１０ａの側端面１１ａの溝部１３ａ、第２壁パネル１０ｂの側端面１１ｂの溝部１３ｂ、及び第３壁パネル１０ｃの上端面１１ｃの長溝１２ｃに収容された状態となっているため、第１連結部材２０ａがより目立ち難くなり、意匠性をより一層向上させることができる。
【００４９】
また、第２連結部材２０ｂについても、第１連結部材２０ａと同様である。第２連結部材２０ｂのうち、第１壁パネル１０ａ及び第２壁パネル１０ｂに取り付けられている両端部に挟まれる中央部が、第４壁パネル１０ｄの下端面１１ｄに取り付けられている。具体的に、第４壁パネル１０ｄの下端面１１ｄには、上述したように、パネル厚み方向と直交する方向に延在する長溝１２ｄが形成されており、第２連結部材２０ｂの中央部が長溝１２ｄに入り込んだ状態、より具体的に、長溝１２ｄに収容された状態とされる。これにより、第４壁パネル１０ｄの下端面１１ｄ側がパネル厚み方向に移動しようとしても、長溝１２ｄの溝壁が、長溝１２ｄ内に収容された第２連結部材２０ｂに突き当たる。そのため、第４壁パネル１０ｄの下端面１１ｄ側は、パネル厚み方向において第２連結部材２０ｂに対して移動することが制限される。なお、「連結部材が第４壁パネルの下端面に取り付けられている」とは、連結部材と第４壁パネルの下端面とが、少なくともパネル厚み方向に別々に移動しないように両者が係合している状態を意味しており、連結部材が第４壁パネルに対して完全に緊結されている状態のみを意味するものではない。したがって、第２連結部材と第４壁パネルとの取り付け構成は、ビス部材等の締結部材を用いて完全に緊結される取り付け構成に限られるものではない。
【００５０】
このように、第４壁パネル１０ｄについても、その鉛直方向の上端部が建物１００の軸組架構を構成する上側の梁部材４０ａに取り付けられていると共に、その下端部が第２連結部材２０ｂに取り付けられている。そして、第４壁パネル１０ｄの下端部を第１及び第２壁パネル１０ａ及び１０ｂと一体化する第２連結部材２０ｂを、第４壁パネル１０ｄの下端面１１ｄに取り付けているため、第１、第２及び第４壁パネル１０ａ、１０ｂ及び１０ｄの屋内側面に跨って他の連結部材を取り付ける構成と比較して、第２連結部材２０ｂが目立ち難く簡素化された意匠性の高い構成を実現することができる。更に、図１に示すように、第２連結部材２０ｂはそのすべてが、第１壁パネル１０ａの側端面１１ａの溝部１３ａ、第２壁パネル１０ｂの側端面１１ｂの溝部１３ｂ、及び第４壁パネル１０ｄの下端面１１ｄの長溝１２ｄに収容された状態となっているため、第２連結部材２０ｂがより目立ち難くなり、意匠性をより一層向上させることができる。
【００５１】
ここで、外壁構造１は、第１連結部材２０ａを、第３壁パネル１０ｃの上端面１１ｃに取り付けられる位置となるように上端面１１ｃに向かう方向に、又は、上端面１１ｃに取り付けられる位置から上端面１１ｃと離れる方向に、スライド移動可能とするスライド機構３０を備えている。
【００５２】
具体的に、本実施形態のスライド機構３０は、第１連結部材２０ａの第１及び第２フランジ部２２ａ及び２２ｂに区画された長孔２３ａ及び２３ｂと、この長孔２３ａ及び２３ｂに挿通されて第１及び第２壁パネル１０ａ及び１０ｂに締結される締結部材５０と、により構成されており、第１連結部材２０ａを、第３壁パネル１０ｃの上端面１１ｃに取り付けられる位置となるように上端面１１ｃに向かう方向、及び、上端面１１ｃに取り付けられる位置から上端面１１ｃと離れる方向に、スライド移動可能とするものである。
【００５３】
本実施形態の外壁構造１では、第１及び第２フランジ部２２ａ及び２２ｂが、締結部材５０としてのビス部材により、第１及び第２壁パネル１０ａ及び１０ｂに対して完全に緊結されており、第１連結部材２０ａは、第３壁パネル１０ｃの上端面１１ｃに向かう方向及び上端面１１ｃから離れる方向、のいずれにも移動することはできない。しかしながら、締結部材５０の位置を変化させる、すなわち、締結部材５０としてのビス部材を緩め、第１及び第２フランジ部２２ａ及び２２ｂが第１及び第２壁パネル１０ａ及び１０ｂに対して完全には緊結されていない状態とすることにより、第１連結部材２０ａは、締結部材５０が挿通されている長孔２３ａ及び２３ｂによって、第３壁パネル１０ｃの上端面１１ｃから離れる方向、すなわち鉛直方向上方に移動可能となる。そして、第１連結部材２０ａを鉛直方向上方に移動した後は、逆に、鉛直方向下方、すなわち、第３壁パネル１０ｃの上端面１１ｃに向かう方向に第１連結部材２０ａを移動させることができる。
【００５４】
より具体的に、各長孔２３ａ及び２３ｂの断面積は、締結部材５０のうち長孔２３ａ及び２３ｂ内に位置する部分の断面積よりも大きく、かつ、各長孔２３ａ及び２３ｂの鉛直方向の最大長さが、少なくとも、締結部材５０のうち長孔２３ａ及び２３ｂ内に位置する部分の鉛直方向の最大長さよりも長くなっている。
【００５５】
そのため、第１壁パネル１０ａ側の締結部材５０を緩め、締結部材５０の緊結状態を解除すれば、第１フランジ部２２ａは、長孔２３ａに挿通されている締結部材５０が長孔２３ａを区画する内面のうち鉛直方向下端の部分に当接しない状態から、締結部材５０が長孔２３ａを区画する内面のうち鉛直方向下端の部分に当接する状態となるまで、鉛直方向上方に、締結部材５０に対してスライド移動可能となる。
【００５６】
同様に、第２壁パネル１０ｂ側の締結部材５０を緩め、締結部材５０の緊結状態を解除すれば、第２フランジ部２２ｂは、長孔２３ｂに挿通されている締結部材５０が長孔２３ｂを区画する内面のうち鉛直方向下端の部分に当接しない状態から、締結部材５０が長孔２３ｂを区画する内面のうち鉛直方向下端の部分に当接する状態となるまで、鉛直方向上方に、締結部材５０に対してスライド移動可能となる。
【００５７】
なお、上述したように、本実施形態の第１連結部材２０ａは、ビス部材等の締結部材５１により第３壁パネル１０ｃに対して完全に緊結される（図２参照）。そのため、上述の第１連結部材２０ａのスライド機構３０による移動は、本実施形態では、第１連結部材２０ａが締結部材５１により第３壁パネル１０ｃに対して緊結される前の状態での移動、及び、緊結された締結部材５１が取り外された後の状態での移動を意味している。
【００５８】
このように、外壁構造１における第１連結部材２０ａは、第３壁パネル１０ｃの上端面１１ｃに向かう方向及び上端面１１ｃから離れる方向に移動可能ではなく、このような移動は完成した建物１００の外壁において何ら想定されたものではないが、外壁構造１は、上述した意匠性の高い第１連結部材２０ａの取り付け構成の施工性を向上すべく、第１連結部材２０ａを、第３壁パネル１０ｃの上端面１１ｃに取り付けられる位置となるように上端面１１ｃに向かう方向に、又は、第３壁パネル１０ｃの上端面１１ｃに取り付けられる位置から上端面１１ｃと離れる方向に、移動可能とするスライド機構３０を備えた構成となっている。なお、外壁構造１の施工性については、後述する壁パネルの取付方法において併せて説明する。
【００５９】
また、ここでは詳細な説明は省略するが、本実施形態の外壁構造１は、上述したスライド機構３０を「第１スライド機構３０ａ」とした場合に、第２連結部材２０ｂを、第４壁パネル１０ｄの下端面１１ｄに取り付けられる位置となるように下端面１１ｄに向かう方向に、及び／又は、下端面１１ｄに取り付けられる位置から下端面１１ｄと離れる方向に、スライド移動可能とする第２スライド機構３０ｂを、更に備えている。第２スライド機構３０ｂの構成は、上述した第１スライド機構３０ａと同様である。
【００６０】
更に、本実施形態の第３壁パネル１０ｃは、第１壁パネル１０ａと第２壁パネル１０ｂとの間で、複数（本実施形態では４つ）連接されており、第１連結部材２０ａの棒状部２１は、この複数の第３壁パネル１０ｃのすべての長溝１２ｃに跨って収容されている。同様に、本実施形態の第４壁パネル１０ｄは、第１壁パネル１０ａと第２壁パネル１０ｂとの間で、複数（本実施形態では４つ）連接されており、第２連結部材２０ｂの棒状部２１は、この複数の第４壁パネル１０ｄのすべての長溝１２ｄに跨って収容されている。
【００６１】
次に、図３を参照して、第３壁パネル１０ｃと下側の梁部材４０ｂとの取り付け構成の詳細を説明する。ここでは、第３壁パネル１０ｃと下側の梁部材４０ｂとの取り付け構成を例示説明するが、第１壁パネル１０ａと建物１００の上側の梁部材４０ａ及び下側の梁部材４０ｂそれぞれとの取り付け構成、第２壁パネル１０ｂと建物１００の上側の梁部材４０ａ及び下側の梁部材４０ｂそれぞれとの取り付け構成、並びに、第４壁パネル１０ｄと上側の梁部材４０ａとの取り付け構成、についても同様である。
【００６２】
図３に示すように、第３壁パネル１０ｃの屋内側には下側の梁部材４０ｂが設けられており、第３壁パネル１０ｃの下端部は、緊結具４１及び接続具４２を介して、下側の梁部材４０ｂに対して取り付けられている。
【００６３】
緊結具４１は、第３壁パネル１０ｃの屋内側面上に位置し、貫通孔に挿通されるビス部材等の締結部材６０により第３壁パネル１０ｃに緊結される板状の緊結部４１ａと、この緊結部４１ａの屋内側面から突設されたフック部４１ｂと、を備えている金具である。
【００６４】
接続具４２は、Ｈ形鋼である下側の梁部材４０ｂの上側フランジに対して接合され、略水平方向に延在する底板部４２ａと、この底板部４２ａから鉛直方向上方に向かって立設された起立板部４２ｂと、を備える横断面外形がＬ形の長尺の金具である。底板部４２ａと下側の梁部材４０ｂの上側フランジとは、ボルト及びナットや溶接等により、接合されている。
【００６５】
第３壁パネル１０ｃに緊結された緊結具４１の緊結部４１ａとフック部４１ｂとの間の隙間に、下側の梁部材４０ｂに接合された接続具４２の起立板部４２ｂを挿入することにより、下側の梁部材４０ｂにより第３壁パネル１０ｃを支持させることができる。
【００６６】
但し、図３に示すように、緊結部４１ａとフック部４１ｂとの間で起立板部４２ｂを挟むことにより、下側の梁部材４０ｂにより第３壁パネル１０ｃを支持しているため、緊結具４１は、接続具４２に対して第３壁パネル１０ｃの厚み方向には移動しないが、接続具４２に対して第３壁パネル１０ｃの面内方向（厚み方向と直交する方向）には移動することができる。そのため、緊結具４１及びこの緊結具４１と緊結された第３壁パネル１０ｃは、例えば地震時等において建物１００に層間変位が生じた場合、接続具４２及び下側の梁部材４０ｂに対して、第３壁パネル１０ｃの厚み方向と直交する面内で回動可能である（ロッキング構造）。これにより、建物１００に層間変位が生じた場合であっても、第３壁パネル１０ｃの破壊や損傷を抑制することができる。
【００６７】
また、図３に示すように、下側の梁部材４０ｂの下側フランジには、第３壁パネル１０ｃの自重を鉛直方向の下端面を支持することにより受ける自重受け部４３ａを有するＺ形の自重受け金具４３が取り付けられている。
【００６８】
なお、本実施形態の梁部材４０ａ、４０ｂはＨ形鋼で構成されているが、梁部材の形状は適宜設定することができ、この形状に限られるものではない。
【００６９】
また、本実施形態の緊結具４１のフック部４１ｂは２つ設けられているが、フック部の数はこの個数に限られるものではなく、例えば、１つのみのフック部を有する構成としてもよく、３つ以上のフック部を有する構成としてもよい。また、本実施形態のフック部４１ｂは、緊結部４１ａの幅方向両側に設けられているが、この位置についても特に限定されるものではなく適宜設計することができる。
【００７０】
更に、本実施形態の緊結具４１の緊結部４１ａは、平板状に形成されているが、第３壁パネル１０ｃの屋内側面に当接した状態で第３壁パネル１０ｃに緊結されているものであればよく、その形状は平板形状に限られるものではない。
【００７１】
また更に、本実施形態の接続具４２は、横断面外形がＬ形の金具であるが、梁部材４０に対して接合されると共に、緊結具４１の緊結部４１ａとフック部４１ｂとの間に挿入可能な部分を有していればよく、本実施形態の形状に限られるものではない。
【００７２】
次に、本発明の一実施形態としての、開口２周囲の壁パネル１０ａ〜１０ｃの取付方法について説明する。この壁パネル１０ａ〜１０ｃの取付方法は、開口２の水平方向両側を区画する第１及び第２壁パネル１０ａ及び１０ｂを上側の梁部材４０ａ及び下側の梁部材４０ｂに取り付ける工程と、第１及び第２壁パネル１０ａ及び１０ｂの間に第１連結部材２０ａを架け渡し、第１連結部材２０ａを、鉛直方向にスライド移動可能に第１壁パネル１０ａ及び第２壁パネル１０ｂに対して取り付ける工程と、開口２の鉛直方向下端を区画する上端面１１ｃを有する第３壁パネル１０ｃを配置する工程と、第１連結部材２０ａを鉛直方向下方に移動し、第３壁パネル１０ｃの上端面１１ｃに第１連結部材２０ａを取り付ける工程と、を含むものである。
【００７３】
壁パネル１０ａ〜１０ｃの取付方法のうち、第１連結部材２０ａを鉛直方向下方に移動し、第３壁パネル１０ｃの上端面１１ｃに第１連結部材２０ａを取り付ける工程では、上述した外壁構造１のスライド機構３０が用いられている。つまり、第１壁パネル１０ａ及び第２壁パネル１０ｂに対して取り付けられた第１連結部材２０ａを、スライド機構３０を用いて鉛直方向に移動可能としているため、上述した外壁構造１を施工する際には、第３壁パネル１０ｃを下側の梁部材４０ｂに対して取り付けた後に第１連結部材２０ａをスライド移動させて、第１連結部材２０ａを第３壁パネル１０ｃに取り付けることにより、第３壁パネル１０ｃの上端面１１ｃを第１及び第２壁パネル１０ａ及び１０ｂに一体化することができ、第１〜第３壁パネル１０ａ〜１０ｃを簡単に一体化することが可能となる。そのため、上述した意匠性に加えて施工性にも優れた、第１〜第３壁パネル１０ａ〜１０ｃが一体化された構成を実現することができる。
【００７４】
なお、上述の取付方法は、更に、第４壁パネル１０ｄを取り付ける方法を含むものであってもよい。具体的に、上述の取付方法は、第１及び第２壁パネル１０ａ及び１０ｂの間に第２連結部材２０ｂを架け渡し、第２連結部材２０ｂを、鉛直方向にスライド移動可能に第１壁パネル１０ａ及び第２壁パネル１０ｂに対して取り付ける工程と、開口２の鉛直方向上端を区画する下端面１１ｄを有する第４壁パネル１０ｄを配置する工程と、第２連結部材２０ｂを鉛直方向上方に移動し、第４壁パネル１０ｄの下端面１１ｄに第２連結部材２０ｂを取り付ける工程と、を更に含むものであってもよい。
【００７５】
また、上述した取付方法のうち、第３壁パネル１０ｃを配置する工程では、第３壁パネル１０ｃを複数連接して配置し、第３壁パネル１０ｃの上端面１１ｃに第１連結部材２０ａを取り付ける工程では、複数の第３壁パネル１０ｃの全ての上端面１１ｃに第１連結部材２０ａを取り付けるようにすることができる。上述したように、図１〜図３に示す外壁構造１では、壁パネルの側端面に、隣接する壁パネルと結合するための結合部としての溝部又は突部が設けられている（図１〜図３の溝部１３ａや突部１３ｃを参照）。そのため、複数の第３壁パネル１０ｃを連接して配置する際には、各第３壁パネル１０ｃを、上述した緊結具４１と接続具４２とを取り付けた後に幅方向にスライドさせていき、隣接する第３壁パネル１０ｃの側端面に設けられた溝部及び突部を嵌合していく。これにより、複数の第３壁パネル１０ｃを連接して配置することができる。
【００７６】
本発明に係る外壁構造、外壁構造を備える建物、及び壁パネルの取付方法は、上述したものに限られるものではなく、特許請求の範囲の記載を逸脱しない限り、種々の変更が可能である。例えば、上述した外壁構造１のうち、第１連結部材２０ａを移動可能とするスライド機構３０としての第１スライド機構３０ａは、第１及び第２フランジ部２２ａ及び２２ｂに区画された長孔２３ａ及び２３ｂ（図４参照）と、この長孔２３ａ及び２３ｂに挿通されて第１及び第２壁パネル１０ａ及び１０ｂに締結される締結部材５０（図２参照）と、により構成されていたが、第１及び第２フランジ部２２ａ及び２２ｂに区画された長孔２３ａ及び２３ｂの一方と、この一方の長孔２３ａ又は２３ｂに挿通されて第１又は第２壁パネル１０ａ又は１０ｂに締結される締結部材５０と、により構成されていてもよい。つまり、第１連結部材２０ａの長手方向の一方のみをスライド移動可能とするスライド機構であってもよい。
【００７７】
更に、上述した外壁構造１は、第１連結部材２０ａを移動可能とする第１スライド機構３０ａに加えて、第２連結部材２０ｂを移動可能とする第２スライド機構３０ｂを備える構成であるが、少なくとも第１スライド機構３０ａを備えていればよく、第２スライド機構３０ｂを備えない構成としてもよい。
【００７８】
また、上述した外壁構造１の第１連結部材２０ａ及び第２連結部材２０ｂそれぞれの両端部は、第１壁パネル１０ａの側端面１１ａの溝部１３ａ、及び第２壁パネル１０ｂの側端面１１ｂの溝部１３ｂに収容される構成であるが、このような溝部１３ａ、１３ｂが形成されておらずに、側端面１１ａ及び１１ｂ上にビス部材等の締結部材で単に緊結されて取り付けられる構成であってもよい。
【００７９】
更に、上述した外壁構造１の第３壁パネル１０ｃは、その上端面１１ｃに長溝１２ｃが形成されており、この長溝１２ｃ内に第１連結部材２０ａが収容されるものであるが、長溝１２ｃがない第３壁パネルとし、長溝１２ｃがない第３壁パネルの上端面に第１連結部材２０ａをビス等の締結部材により緊結することにより取り付ける構成としてもよい。同様に、上述した第４壁パネル１０ｄの下端面１１ｄにおける長溝１２ｄを省く構成とすることも可能である。但し、上述したように、外壁構造１が長溝１２ｃ及び１２ｄを備えることにより、第１連結部材２０ａ及び第２連結部材２０ｂを長溝１２ｃ及び１２ｄ内に隠すことができるため、意匠性の観点から、長溝１２ｃ及び１２ｄが形成された第３壁パネル１０ｃ及び第４壁パネル１０ｄとすることが好ましい。また、長溝１２ｃ及び１２ｄ内に第１連結部材２０ａ及び第２連結部材２０ｂを収容する構成とすれば、開口２にサッシ枠等を設ける際に、第１及び第２連結部材２０ａ及び２０ｂが邪魔になり難く、サッシ枠等の開口２内に配置される部材の設計自由度をも向上させることができる。
【００８０】
また更に、上述した外壁構造１の連結部材２０は、棒状部２１と、両端の第１及び第２フランジ部２２ａ及び２２ｂと、を備える構成であるが、連結部材はこの構成に限られるものではなく、例えば、図５、図６に示すように、連結部材２０としての第１連結部材２０ａ及び第２連結部材２０ｂを、一様な直線状の棒部材により構成することもできる。かかる場合には、第１壁パネル１０ａ及び第２壁パネル１０ｂの開口２の水平方向両側を区画する側端面１１ａ及び１１ｂに設けられた溝部１３ａ及び１３ｂに、第１及び第２連結部材２０ａ及び２０ｂの水平方向の両端部を収容し、第１及び第２連結部材２０ａ及び２０ｂを溝部１３ａ及び１３ｂ内で鉛直方向にスライド移動可能とすることができる。つまり、図５、図６に示す例では、所定方向としての鉛直方向に第１及び第２連結部材２０ａ及び２０ｂを移動可能とする第１及び第２スライド機構３０ａ及び３０ｂは、溝部１３ａ及び１３ｂにより構成される。
【００８１】
なお、図５、図６に示す例であっても、第１連結部材２０ａの中央部は、第３壁パネル１０ｃの上端面１１ｃに形成された長溝１２ｃに収容され、第２及連結部材２０ｂの中央部は、第４壁パネル１０ｄの下端面１１ｄに形成された長溝１２ｄに収容されている。
【産業上の利用可能性】
【００８２】
本発明は、外壁構造、建物及び壁パネルの取付方法に関する。
【符号の説明】
【００８３】
１：外壁構造
２：開口
１０：壁パネル
１０ａ：第１壁パネル
１０ｂ：第２壁パネル
１０ｃ：第３壁パネル
１０ｄ：第４壁パネル
１１ａ：第１壁パネルの側端面
１１ｂ：第２壁パネルの側端面
１１ｃ：第３壁パネルの上端面
１１ｄ：第４壁パネルの下端面
１２ｃ：第３壁パネルの上端面の長溝
１２ｄ：第４壁パネルの下端面の長溝
１３ａ：第１壁パネルの側端面の溝部
１３ｂ：第２壁パネルの側端面の溝部
１３ｃ：第３壁パネルの側端面の突部
２０：連結部材
２０ａ：第１連結部材
２０ｂ：第２連結部材
２１：棒状部
２２ａ：第１フランジ部
２２ｂ：第２フランジ部
２３ａ、２３ｂ：長孔
２４：挿通孔
３０：スライド機構
３０ａ：第１スライド機構
３０ｂ：第２スライド機構
４０：梁部材
４０ａ：上側の梁部材
４０ｂ：下側の梁部材
４１：緊結具
４１ａ：緊結部
４１ｂ：フック部
４２：接続具
４２ａ：底板部
４２ｂ：起立板部
４３：自重受け具
４３ａ：自重受け部
５０：締結部材
５１：締結部材
６０：締結部材
１００：建物
【図１】
2018096134.tif 000003
【図２】
2018096134.tif 000004
【図３】
2018096134.tif 000005
【図４】
2018096134.tif 000006
【図５】
2018096134.tif 000007
【図６】
2018096134.tif 000008